(57)【要約】【課題】良好な表示性能を得る。【解決手段】液晶パネル１１は、裏側に配されたフレーム１７と、表側に配された枠状をなすベゼル１３との間で、表示領域ＡＡの外側の額縁部分ＮＡが挟持されるとともに、フレーム１７及びベゼル１３における周方向について間欠的に複数締め付けられるねじ部品Ｂによって保持される。液晶パネル１１は、透明な一対の基板１８，１９と、両基板１８，１９間に封止される液晶２０と、両基板１８，１９間に介設されることで、両基板１８，１９間のギャップを確保するためのシール剤２１及び粒状スペーサ２２とを備える。シール剤２１のうち、ねじ部品Ｂによる加圧箇所近傍には、断面積を局所的に大きくしてなる増強部３１が設けられている。【選択図】図３
2008145475.tif 000002
【特許請求の範囲】
【請求項１】
表示領域の外側の額縁部分が、裏側に配された受け部材と、表側に配された枠状をなす押さえ部材との間で挟持されるとともに、受け部材及び押さえ部材における周方向について間欠的に複数設けられた挟圧保持手段によって保持されるものであって、
透光性を有する一対の基板と、
前記両基板間に封止される液晶と、
前記両基板間に介設されることで、前記両基板間のギャップを確保するためのギャップ保持部と、
前記ギャップ保持部のうち前記挟圧保持手段による加圧箇所近傍に設けられ、その断面積を局所的に大きくしてなる増強部とを備えていることを特徴とする液晶パネル。
【請求項２】
前記ギャップ保持部として、前記額縁部分に周設されることで前記液晶をシール状態に保つためのシール剤を備えたものにおいて、
前記増強部は、前記シール剤を部分的に拡幅することで形成されていることを特徴とする請求項１記載の液晶パネル。
【請求項３】
前記ギャップ保持部が、前記額縁部分に周設されることで前記液晶をシール状態に保つためのシール剤と、前記シール剤よりも内側の領域に多数分散して配置されるスペーサとからなるものにおいて、
前記増強部は、前記スペーサを局所的に高密度に分布させることで形成されていることを特徴とする請求項１記載の液晶パネル。
【請求項４】
前記ギャップ保持部が、前記額縁部分に周設されることで前記液晶をシール状態に保つためのシール剤と、前記シール剤よりも内側の領域に多数分散して配置されるスペーサとからなるものにおいて、
前記スペーサは、前記液晶中に多数分散して配置される粒状スペーサと、この粒状スペーサよりも断面積が大きく、且つ前記増強部をなす柱状スペーサとから構成されていることを特徴とする請求項１記載の液晶パネル。
【請求項５】
前記柱状スペーサは、カラーフィルタを構成するカラーフィルタ材料を積層することで形成されていることを特徴とする請求項４記載の液晶パネル。
【請求項６】
前記液晶を配向制御するための配向制御用の樹脂層を備えるものにおいて、
前記柱状スペーサは、前記樹脂層を構成する樹脂材料により形成されていることを特徴とする請求項４記載の液晶パネル。
【請求項７】
表示領域の外側の額縁部分が、裏側に配された受け部材と、表側に配された枠状をなす押さえ部材との間で挟持されるとともに、受け部材及び押さえ部材における周方向について間欠的に複数設けられた挟圧保持手段によって保持される液晶パネルの製造方法であって、
透光性を有する一対の基板間に、両基板間のギャップを確保するためのギャップ保持部を介設するとともに液晶を封止するようにし、且つ前記ギャップ保持部のうち、前記挟圧保持手段による加圧箇所近傍に、断面積を局所的に大きくしてなる増強部を設けるようにしたことを特徴とする液晶パネルの製造方法。
【請求項８】
前記ギャップ保持部として、前記額縁部分に周設されることで前記液晶をシール状態に保つシール剤を備えたものにおいて、
前記両基板のうち、いずれか一方の基板における前記額縁部分に対して前記シール剤を吐出可能なディスペンサを相対変位させつつ前記シール剤を塗布する際に、前記挟圧保持手段による加圧箇所近傍では、前記ディスペンサの相対速度を一時的に低減させることで、前記シール剤が局所的に拡幅した形態の前記増強部を形成するようにしたことに特徴を有する請求項７記載の液晶パネルの製造方法。
【請求項９】
前記ギャップ保持部が、前記額縁部分に周設されることで前記液晶をシール状態に保つシール剤と、前記シール剤よりも内側の領域に多数分散して配置されるスペーサとからなるものにおいて、
前記両基板のうち、いずれか一方の基板に対して前記スペーサを噴出可能なインクジェットノズルを相対変位させつつ前記スペーサを設置するとともに、前記挟圧保持手段による加圧箇所近傍に前記スペーサを局所的に高密度に分布させることで前記増強部を形成するようにしたことに特徴を有する請求項７記載の液晶パネルの製造方法。
【請求項１０】
透光性を有する一対の基板間に液晶を封止してなる液晶パネルと、
前記両基板間に介設されることで、前記両基板間のギャップを確保するためのギャップ保持部と、
前記液晶パネルの裏側に配される受け部材と、
前記液晶パネルの表側に配されるとともに、前記受け部材との間で前記液晶パネルの表示領域の外側の額縁部分を挟持可能な枠状をなす押さえ部材と、
前記受け部材及び前記押さえ部材における周方向について間欠的に複数設けられるとともに、前記液晶パネルを挟圧状態に保持可能な挟圧保持手段と、
前記ギャップ保持部のうち前記挟圧保持手段による加圧箇所近傍に設けられ、その断面積を局所的に大きくしてなる増強部とを備えていることを特徴とする液晶表示装置。
【請求項１１】
前記挟圧保持手段は、前記受け部材に設けられたねじ孔に螺合されるねじ部品により構成されていることを特徴とする請求項１０記載の液晶表示装置。
【請求項１２】
前記ねじ部品の締め付け方向は、前記両基板の積層方向と一致していることを特徴とする請求項１１記載の液晶表示装置。
【発明の詳細な説明】
【技術分野】
【０００１】
本発明は、液晶パネル、その製造方法、及び液晶表示装置に関する。
【背景技術】
【０００２】
液晶表示装置は、大まかには表示パネルである液晶パネルと、その裏側に配される外部光源であるバックライトとを備えており、このうち液晶パネルは、表側から装着される枠状のベゼルと、バックライトを構成するフレームとの間で挟持されるようになっている。ベゼルには、周方向について間欠的に配置されたねじ部品が外側から締め付けられることで、フレームに対して固定され、これにより液晶パネルは、その表示領域の外側の額縁部分が挟圧状態で保持される。
【特許文献１】特開２００１−１３８８７公報
【発明の開示】
【発明が解決しようとする課題】
【０００３】
ところで、液晶パネルの額縁部分のうち、ねじ部品により加圧される箇所には、他の部分に比べて局所的に大きな圧力が作用することになる。このため、液晶パネルを構成する両ガラス基板間のギャップ、つまりセル厚が不均一になって、表示ムラなどが生じるおそれがあった。
【０００４】
そこで、上記特許文献１に記載されたものでは、フレームにおけるねじ部品の締め付け箇所にスリットを設けて、そこを部分的に変形可能とすることで、ねじ部品の締め付け力を吸収するようにしている。
【０００５】
しかしながら、特許文献１に記載されたものでは、加圧力をある程度緩和することはできるものの、それでも不十分な場合があり、さらなる改善が希求されていた。
【０００６】
本発明は上記のような事情に基づいて完成されたものであって、良好な表示性能を得ることを目的とする。
【課題を解決するための手段】
【０００７】
本発明は、表示領域の外側の額縁部分が、裏側に配された受け部材と、表側に配された枠状をなす押さえ部材との間で挟持されるとともに、受け部材及び押さえ部材における周方向について間欠的に複数設けられた挟圧保持手段によって保持されるものであって、透光性を有する一対の基板と、前記両基板間に封止される液晶と、前記両基板間に介設されることで、前記両基板間のギャップを確保するためのギャップ保持部と、前記ギャップ保持部のうち前記挟圧保持手段による加圧箇所近傍に設けられ、その断面積を局所的に大きくしてなる増強部とを備えている
【０００８】
このようにすると、液晶パネルのうち表示領域の外側の額縁部分は、裏側の受け部材と表側の押さえ部材との間で挟持され、このとき、受け部材及び押さえ部材において周方向について間欠的に複数設けられた挟圧保持手段によって挟圧状態で保持される。液晶パネルのうち挟圧保持手段による加圧箇所近傍には、両基板間のギャップを狭める方向の力が局所的に作用することになるものの、ギャップ保持部には局所的に断面積が大きくなる増強部が設けられているから、上記した力を増強部により受けることができる。これにより、両基板間のギャップを均一に保つことができる。
【０００９】
本発明の実施態様として、次の構成が好ましい。
（１）前記ギャップ保持部として、前記額縁部分に周設されることで前記液晶をシール状態に保つためのシール剤を備えたものにおいて、前記増強部は、前記シール剤を部分的に拡幅することで形成される構成とする。これにより、シール剤を形成する工程において、同時に増強部を形成することができるので、低コストで対応することができる。
【００１０】
（２）前記ギャップ保持部が、前記額縁部分に周設されることで前記液晶をシール状態に保つためのシール剤と、前記シール剤よりも内側の領域に多数分散して配置されるスペーサとからなるものにおいて、前記増強部は、前記スペーサを局所的に高密度に分布させることで形成される構成とする。これにより、スペーサを形成する工程において、同時に増強部を形成することができるので、低コストで対応することができる。
【００１１】
（３）前記ギャップ保持部が、前記額縁部分に周設されることで前記液晶をシール状態に保つためのシール剤と、前記シール剤よりも内側の領域に多数分散して配置されるスペーサとからなるものにおいて、前記スペーサは、前記液晶中に多数分散して配置される粒状スペーサと、この粒状スペーサよりも断面積が大きく、且つ前記増強部をなす柱状スペーサとから構成される。これにより、柱状スペーサにより両基板間のギャップを狭める方向の力をしっかりと受けることができる。
【００１２】
（４）前記柱状スペーサは、カラーフィルタを構成するカラーフィルタ材料を積層することで形成される構成とする。これにより、カラーフィルタを形成する工程において、同時に増強部をなす柱状スペーサを形成することができるので、低コストで対応することができる。
【００１３】
（５）前記液晶を配向制御するための配向制御用の樹脂層を備えるものにおいて、前記柱状スペーサは、前記樹脂層を構成する樹脂材料により形成される構成とする。これにより、樹脂層を形成する工程において、同時に増強部をなす柱状スペーサを形成することができるので、低コストで対応することができる。
【００１４】
（６）前記挟圧保持手段は、前記受け部材に設けられたねじ孔に螺合されるねじ部品により構成される。これにより、ねじ部品の締め付け深さを調整することで、液晶パネルに作用する加圧力を調整することができる。
【００１５】
（７）前記ねじ部品の締め付け方向は、前記両基板の積層方向と一致する構成とする。このように、ねじ部品からの加圧力が、直接両基板間のギャップを狭める方向に作用するものでも、増強部により挟圧力をしっかりと受けることができる。
【発明の効果】
【００１６】
本発明によれば、良好な表示性能を得ることができる。
【発明を実施するための最良の形態】
【００１７】
＜実施形態１＞
本発明の実施形態１を図１ないし図５によって説明する。この実施形態１では、特許請求の範囲に記載した「挟圧保持手段」としてねじ部品Ｂを用いた液晶表示装置１０を例示する。なお、以下では上下方向の記載については、図２を基準とする。
【００１８】
液晶表示装置１０は、図１及び図２に示すように、大まかには、画像を表示するための液晶パネル１１と、液晶パネル１１の裏側（図２に示す下側）に配される外部光源であるバックライト１２とを互いに組み付けた構成とされる。液晶パネル１１は、その裏側に配されたバックライト１２と、表側（図２に示す上側）に配されたベゼル１３との間に挟まれた状態でねじ部品Ｂによって挟圧状態で保持されるようになっている。ベゼル１３は、金属製とされるとともに、液晶パネル１１の表示領域ＡＡ（図１や図３に示す二点鎖線よりも内側の領域）を取り囲む略枠状に形成されている。
【００１９】
バックライト１２は、表側（液晶パネル１１側）に向けて開口した略箱形をなすケース１４と、ケース１４内に互いに平行に並んだ状態で収容される複数本の線状光源１５（例えば冷陰極管）と、ケース１４の開口部に積層した状態で配される複数の光学シート１６（例えば裏側から順に拡散板、拡散シート、レンズシート、及び輝度上昇シート）と、これら光学シート１６群をケース１４との間で挟んで保持するための略枠状をなすフレーム１７とから構成される。各光学シート１６は、各線状光源１５から発せられる光を面状に変換するなどの機能を有するものである。
【００２０】
液晶パネル１１は、大まかには、全体として矩形状をなしており、一対の透明な（透光性を有する）ガラス製の基板１８，１９と、両基板１８，１９間に挟持されるとともに電界印加に伴って光学特性が変化する物質である液晶２０とを備えている。両基板１８，１９は、互いに対向するとともに間に所定のギャップ（間隔）を空けた状態で貼り合わせられており、間に挟持された液晶２０は、シール剤２１によって取り囲まれて液密状態に保たれる。
【００２１】
シール剤２１は、液晶パネル１１における表示領域ＡＡの外側の額縁部分ＮＡ（図１や図３に示す二点鎖線よりも外側の領域、非表示領域）において、表示領域ＡＡを取り囲むようにして周設されている。シール剤２１は、矩形状をなす両基板１８，１９の外形に沿った略枠状に形成され、両基板１８，１９の内面に対して接着することで、両基板１８，１９を支持している。また、両基板１８，１９間におけるシール剤２１よりも内側の領域（液晶２０中）には、両基板１８，１９を支持して間のギャップを均一に保つための粒状スペーサ２２が多数分散して設置されている。粒状スペーサ２２は、透明で微細な粒状（球状）をなしており、例えばインクジェット技術を用いて両基板１８，１９の面方向における分布密度が均一になるように（各粒状スペーサ２２間のピッチがほぼ等ピッチになるように）配置されている。両基板１８，１９間に介設されたこれらシール剤２１及び粒状スペーサ２２により、特許請求の範囲に記載した「ギャップ保持部」が構成されている。
【００２２】
両基板１８，１９は、表側がＣＦ基板１８とされ、裏側がアレイ基板１９とされる。アレイ基板１９における内面側（液晶２０側、ＣＦ基板１８との対向面側）には、図示しないスイッチング素子（例えばＴＦＴ）及び画素電極が多数個並んで設けられるとともに、これらスイッチング素子及び画素電極（画素）の周りには、格子状をなすソース配線及びゲート配線が取り囲むようにして配設されている。アレイ基板１９の縁近辺には、各配線の端子部が設けられ、この端子部に対して画像信号を供給する外部回路に対してプリント基板２３を介して接続されるドライバ２４が圧着接続されるようになっている。一方、ＣＦ基板１８には、アレイ基板１９側の画素電極と対向する対向電極が設けられるとともに、各画素に対応した位置にカラーフィルタ（対向電極共々図示せず）が多数個並んで設けられている。カラーフィルタは、Ｒ，Ｇ，Ｂの三色が交互に並ぶ配置とされる。また、両基板１８，１９の外面側には、それぞれ表裏一対の偏光板２５，２６が貼り付けられている。
【００２３】
ここで、液晶パネル１１の保持構造について詳細に説明する。液晶パネル１１は、裏側に配されるバックライト１２を構成するフレーム１７における内端部に形成された受け部２７と、表側に被せられるベゼル１３の内端部に形成された押さえ部２８との間で額縁部分ＮＡが挟まれるとともに、ベゼル１３がフレーム１７に対してねじ部品Ｂにより固定されることで、挟圧状態に保持されている。
【００２４】
フレーム１７のうち、受け部２７よりも外側部分（詳しくは液晶パネル１１の板面方向に沿った部分）には、ねじ部品Ｂが螺合可能なねじ孔２９が設けられている。ベゼル１３のうち、押さえ部２８よりも外側部分には、ねじ部品Ｂを挿通可能なねじ挿通孔３０が形成されている。これらねじ孔２９及びねじ挿通孔３０は、フレーム１７及びベゼル１３における周方向について間欠的に複数設けられ、且つ組み付け時に互いに整合して連通する位置に配されている。ねじ孔２９及びねじ挿通孔３０は、フレーム１７及びベゼル１３における長辺部分及び短辺部分に複数ずつ（図１では長辺部分に３つずつ、短辺部分に２つずつ）それぞれ所定の間隔を空けた位置に設置されている。
【００２５】
ここで、上記したねじ部品Ｂを締め付けたとき、液晶パネル１１には、ベゼル１３及びフレーム１７を介して両基板１８，１９間のギャップを狭める方向の加圧力が局所的に作用することになり、このため、液晶パネル１１における両基板１８，１９間のギャップ、つまりセル厚が不均一になることが懸念される。そこで、本実施形態では、図３に示すように、両基板１８，１９間のギャップを確保しているシール剤２１のうち、ねじ部品Ｂによる加圧箇所近傍の部分に、断面積が局所的に大きくなる増強部３１を設けるようにしている。
【００２６】
詳しくは、増強部３１は、両基板１８，１９の外周端に沿って枠状に延びる形態のシール剤２１のうち、組み付け時に外側にねじ部品Ｂが配される部分について、部分的に拡幅することで形成されている。増強部３１の幅は、シール剤２１における他の部分よりも大きく、例えば３倍程度に設定される。また、増強部３１の長さは、対応するねじ部品Ｂの頭部の外径（ねじ部品Ｂによるベゼル１３に対する加圧範囲）よりも大きく、例えば２倍程度に設定される。これにより、増強部３１の断面積は、図４及び図５に示すように、シール剤２１における他の部分の断面積よりも大きくなっている。
【００２７】
本実施形態は以上のような構造であり、続いてその作用を説明する。まず、液晶パネル１１の製造方法について説明する。アレイ基板１９の内面にスイッチング素子や画素電極などを形成した後、アレイ基板１９の内面にシール剤２１を塗布する作業を行う。このとき、ディスペンサのノズルをアレイ基板１９に対してディスペンサを相対変位させつつ、ディスペンサのノズルから液体状態のシール剤２１を吐出することで、塗布作業を行うのであるが、増強部３１を形成する箇所に差し掛かったところでは一時的にディスペンサの相対速度を低減させることで、他の部分よりも部分的に幅広な増強部３１を形成することができる。
【００２８】
アレイ基板１９にシール剤２１を塗布し終えたら、粒状スペーサ２２をインクジェット技術により分散配置するとともに液晶２０を滴下注入してから、カラーフィルタや対向電極などを形成したＣＦ基板１８を貼り合わせる。その後、紫外線を照射するなどしてシール剤２１を硬化させることで、液晶２０が両基板１８，１９間の隙間で万遍なく広がった状態で封止される。その後、ドライバ２４などの部品を取り付ける作業や、両基板１８，１９の外面に偏光板２５，２６を貼り付ける作業などを行うことで、液晶パネル１１が完成する。
【００２９】
続いて、液晶パネル１１をバックライト１２に対して組み付ける作業を説明する。別途に製造したバックライト１２のフレーム１７における受け部２７上に液晶パネル１１を載置したら、表側からベゼル１３を被せる。このとき、各ねじ挿通孔３０が各ねじ孔２９に対して整合している。そして、各ねじ部品Ｂを各ねじ挿通孔３０に挿通しつつ各ねじ孔２９に螺合させる。
【００３０】
このねじ部品Ｂの締め付けに伴い、ねじ部品Ｂから押さえ部２８及び受け部２７を介して液晶パネル１１には局所的な加圧力が作用し、両基板１８，１９がギャップを狭める方向へ局所的に押圧されることになる。ところが、この加圧箇所近傍には、シール剤２１を部分的に拡幅することで増強部３１が形成されているので、上記加圧力を増強部３１によりしっかりと受け止めることができる。これにより、両基板１８，１９がギャップを狭めつつ局所的に変形させられる事態を回避することができ、液晶パネル１１のセル厚を均一に保つことができる。もって、液晶パネル１１の表示性能を良好なものとすることができる。
【００３１】
以上説明したように本実施形態によれば、シール剤２１のうちねじ部品Ｂによる加圧箇所近傍にその断面積を局所的に大きくしてなる増強部３１を設けるようにしたから、ねじ部品Ｂの締め付けに伴って両基板１８，１９間のギャップを狭める方向の力が局所的に作用しても、増強部３１によりその力をしっかりと受けることができ、これにより両基板１８，１９間のギャップを均一に保つことができる。もって、液晶パネル１１の表示性能を良好に保つことができる。
【００３２】
しかも、増強部３１は、シール剤２１を部分的に拡幅することで形成されているから、シール剤２１を形成する工程において、同時に増強部３１を形成することができ、低コストでの対応が可能となる。
【００３３】
また、挟圧保持手段としてフレーム１７に形成したねじ孔２９に対して螺合可能なねじ部品Ｂを用いるようにしたから、ねじ部品Ｂの締め付け深さを調整することで、液晶パネル１１に作用する加圧力を調整することができる。
【００３４】
また、ねじ部品Ｂの締め付け方向は、両基板１８，１９の積層方向と一致する構成としているから、ねじ部品Ｂからの加圧力が、直接両基板１８，１９間のギャップを狭める方向に作用するものでも、増強部３１により挟圧力をしっかりと受けることができる。
【００３５】
なお、仮にシール剤２１の幅寸法を単純に全域にわたって太くした場合には、シール剤２１を塗布するのに必要な時間がかかり過ぎ、さらには塗布したシール剤２１を硬化させるのに必要な時間もかかり過ぎるのと比較すると、本実施形態によればそのような問題も回避することができる。
【００３６】
＜実施形態２＞
本発明の実施形態２を図６または図７によって説明する。この実施形態２では、増強部３１Ａの形態を変更したものを示す。なおこの実施形態２では、上記した実施形態１と同様の構造、作用及び効果について重複する説明は省略する。
【００３７】
増強部３１Ａは、図６及び図７に示すように、液晶２０中に多数分散した粒状スペーサ２２Ａを、ねじ部品Ｂによる加圧箇所近傍に局所的に多く設置することで形成されている。詳しくは、増強部３１Ａを構成する粒状スペーサ２２Ａは、シール剤２１のうち、組み付け時に外側にねじ部品Ｂが配される部分に隣接する位置に設置され、シール剤２１の延出方向に沿って帯状に多数並んで配置されている。増強部３１Ａを構成する粒状スペーサ２２Ａは、液晶パネル１１の表示領域ＡＡ内の粒状スペーサ２２Ａと比較して、基板１８，１９の面方向についての粒状スペーサ２２Ａ間のピッチ（間隔）が十分に狭くなるよう配置されている。つまり、粒状スペーサ２２Ａは、その分布密度がねじ部品Ｂによる加圧箇所近傍について局所的に高くなるとともに、その断面積が局所的に大きくなっている。
【００３８】
上記した液晶パネル１１の製造方法を説明する。スイッチング素子や画素電極などを形成したアレイ基板１９の内面にシール剤２１を塗布する一方、粒状スペーサ２２Ａ用のインクジェットノズルをアレイ基板１９に対して相対変位させつつ、インクジェットノズルから粒状スペーサ２２Ａを噴出させることで、粒状スペーサ２２Ａを所定位置に設置するのであるが、このとき、ねじ部品Ｂによる加圧箇所近傍では粒状スペーサ２２Ａの設置間隔を狭めて、局所的に高密度に設置するようにする。その後、液晶２０を滴下注入してから、ＣＦ基板１８を貼り合わせるようにする。
【００３９】
以上説明したように本実施形態によれば、増強部３１Ａが、粒状スペーサ２２Ａを局所的に高密度に分布する設定とすることで形成されているから、粒状スペーサ２２Ａの設置工程で同時に増強部３１Ａを形成することができ、低コストで対応することができる。
【００４０】
＜実施形態３＞
本発明の実施形態３を図８または図９によって説明する。この実施形態３では、さらに増強部３１Ｂの形態を変更したものを示す。なおこの実施形態３では、上記した実施形態２と同様の構造、作用及び効果について重複する説明は省略する。
【００４１】
増強部３１Ｂは、図６及び図７に示すように、両基板１８，１９の内面のうちねじ部品Ｂによる加圧箇所近傍に設置した柱状スペーサ３２により構成される。詳しくは、柱状スペーサ３２は、シール剤２１のうち組み付け時に外側にねじ部品Ｂが配される部分に隣接する位置に、シール剤２１の延出方向に沿って複数（図７では３つ）並んで配置されている。各柱状スペーサ３２は、断面略四角形状をなすとともに、その断面積が液晶２０中にほぼ均等に分散配置した粒状スペーサ２２と比較して十分に大きくなる設定とされる。この柱状スペーサ３２は、液晶パネル１１の製造工程のうち、ＣＦ基板１８に対してカラーフィルタを形成する際に、Ｒ，Ｇ，Ｂの各カラーフィルタ材料を積層することで、カラーフィルタ形成工程と同時に形成されている。
【００４２】
以上説明したように本実施形態によれば、増強部３１Ｂを構成する柱状スペーサ３２が既存の工程であるカラーフィルタの形成工程で同時に形成されているので、低コストでの対応が可能となる。
【００４３】
＜他の実施形態＞
本発明は上記記述及び図面によって説明した実施形態に限定されるものではなく、例えば次のような実施形態も本発明の技術的範囲に含まれる。
【００４４】
（１）上記した実施形態１では、シール剤を塗布する際に基板に対するディスペンサの相対速度を変化させることで、部分的に拡幅した増強部を形成した場合を例示したが、例えば枠状のシール剤を一定幅で全周にわたって塗布してから、加圧箇所近傍にのみ追加してシール剤を塗布することで、部分的に拡幅した増強部を形成するようにしてもよい。その場合、増強部をなすシール剤を、一定幅のシール剤から離間した位置に設置することも可能である。
【００４５】
（２）上記した各実施形態では、スペーサとして粒状のものを用いた場合を示したが、シール剤よりも内側の領域に柱状スペーサを多数分散配置するようにしたものも本発明に含まれる。
【００４６】
（３）上記（２）を実施する場合、実施形態２と同様に、加圧箇所近傍において柱状スペーサの分布密度を局所的に高めるようにしてもよい。
【００４７】
（４）上記した実施形態３では、増強部を構成する柱状スペーサをカラーフィルタの形成工程で同時に形成する場合と例示したが、例えば基板の内面に液晶配向制御用の樹脂層を形成するタイプの液晶パネルにおいては、その樹脂層を構成する樹脂材料により柱状スペーサを構成するとともに、樹脂層を形成する工程で同時に増強部を構成する柱状スペーサを形成するようにしてもよい。これにより、既存の工程である樹脂層形成工程で同時に増強部を形成することができるので、低コストでの対応が可能となる。
【００４８】
（５）上記した各実施形態では、ねじ部品の締め付け方向が両基板の積層方向と一致した場合を示したが、ねじ部品の締め付け方向が両基板の板面方向と一致したものも本発明に含まれる。具体的には、ねじ部品がベゼル及びフレームのうち液晶パネルの面方向と直交する側部に締め付けられるものも本発明に含まれる。
【００４９】
（６）上記した各実施形態では、挟圧保持手段としてねじ部品を用いた場合を例示したが、それ以外にも例えばベゼルまたはフレームのいずれか一方の側部にスリットを入れて係止片を形成するとともに、他方側のフレームまたはベゼルの側部に形成した係止孔に上記係止片を引っ掛けることで、ベゼル及びフレームを固定するようにしたものにも本発明は適用可能である。
【００５０】
（７）上記した各実施形態では、ベゼルとバックライトを構成するフレームとの間で液晶パネルを挟持する場合を例示したが、フレームを省略するとともに、ベゼルとバックライトを構成するケースとの間で液晶パネルを挟持するものにも本発明は適用可能である。
【図面の簡単な説明】
【００５１】
【図１】本発明の実施形態１に係る液晶表示装置の分解斜視図
【図２】液晶表示装置の断面図
【図３】液晶表示装置の要部拡大平面図
【図４】図３のＸ−Ｘ線断面図
【図５】図４のＹ−Ｙ線断面図
【図６】本発明の実施形態２に係る液晶表示装置の要部拡大平面図
【図７】図６のＸ−Ｘ線断面図
【図８】本発明の実施形態３に係る液晶表示装置の要部拡大平面図
【図９】図８のＸ−Ｘ線断面図
【符号の説明】
【００５２】
１０…液晶表示装置
１１…液晶パネル
１３…ベゼル（押さえ部材）
１７…フレーム（受け部材）
１８，１９…基板
２０…液晶
２１…シール剤（ギャップ保持部）
２２，２２Ａ…粒状スペーサ（ギャップ保持部、スペーサ）
２９…ねじ孔
３１，３１Ａ，３１Ｂ…増強部
３２…柱状スペーサ（ギャップ保持部、スペーサ）
ＡＡ…表示領域
Ｂ…ねじ部品（挟圧保持手段）
ＮＡ…額縁部分
【図１】
2008145475.tif 000003
【図２】
2008145475.tif 000004
【図３】
2008145475.tif 000005
【図４】
2008145475.tif 000006
【図５】
2008145475.tif 000007
【図６】
2008145475.tif 000008
【図７】
2008145475.tif 000009
【図８】
2008145475.tif 000010
【図９】
2008145475.tif 000011